(57)【特許請求の範囲】
【請求項１】
ゲージ盤が遊技板の前面にセルシートを結合した構成であり、セルシートが遊技領域を形成しかつ光透過性と電気絶縁性および伸展性を有する材料で形成された表面パネルの裏面に絵柄を形成する非発光層を有する非発光表示部と表面電極と絵柄を形成する発光層と背面電極とからなるエレクトロルミネセンスランプとして構成された発光表示部とを並列配置して設けた構成であり、導電性の有る釘がゲージ盤のセルシートを貫通して遊技板に打ち込まれており、表面パネルの釘まわりが上記セルシートを貫通する釘の外周面に沿って遊技板の側に伸びて釘と表面電極と背面電極との間に表面電極と背面電極との間のショートを回避する電気絶縁皮膜を形成したことを特徴とするパチンコ機の電飾装置。
【発明の詳細な説明】
【０００１】
【発明の属する技術分野】
この発明はパチンコ機に用いられ、エレクトロルミネセンスランプを発光表示部として備えた電飾装置に関する。
【０００２】
【従来の技術】
パチンコ機の電飾装置としては、特開平７−１６３４１号公報に開示されたように、遊技板の前面に発光表示部として設けられるエレクトロルミネセンスランプの背面電極に導電性の釘を逃げるための逃げ孔を形成することにより、導電性の釘によるエレクトロルミネセンスランプのショートを回避するようにしたものが知られている。
【０００３】
【発明が解決しようとする課題】
しかし、前記逃げ孔によるショート防止においては、逃げ孔を空洞状態で取り残したままであり、遊技中にエレクトロルミネセンスランプの前面より突出した釘に遊技球が衝突して跳ね返ることで、釘が衝撃を繰り返し受けることにより、逃げ孔の周縁の背面電極がそれに重ね合わされた部材との間に剥がれを生じる可能性がある。その背面電極の剥がれが進行すると、釘まわりの遊技球の道筋の表面性状が凹凸になり、遊技球の反発具合や道筋が不自然な状態となり、遊技性に欠ける問題がある。
そのようなことから、導電性の釘の外周面に電気絶縁性の皮膜をコーティングしてエレクトロルミネセンスランプのショート回避を図ることも考えられるけれども、当該釘を釘打ち機で打ち付ける場合、釘打ち機のチャックで釘を把持したまま、釘の頭部を釘打ち機のハンマで叩くことで、釘を打ち込むことから、皮膜がチャックとの摩擦で擦過傷を受け、その擦過傷の部分より露出した釘の外周面により、エレクトロルミネセンスランプがショートする可能性があり、にわかに採用しがたいものである。
【０００４】
そこで、この発明は、背面電極への逃げ孔形成と釘への電気絶縁性皮膜形成との相克する問題を克服するように、導電性の釘が打ち込まれる際の力で光透過性及び電気絶縁性の有る表面パネルを伸ばして、釘によるエレクトロルミネセンスランプのショート回避を図り、品質信頼性を向上することができるパチンコ機の電飾装置を提供しようとするものである。
【０００５】
【課題を解決するための手段】
この発明に係る電飾装置は、ゲージ盤が遊技板の前面にセルシートを結合した構成であり、セルシートが遊技領域を形成しかつ光透過性と電気絶縁性および伸展性を有する材料で形成された表面パネルの裏面に絵柄を形成する非発光層を有する非発光表示部と表面電極と絵柄を形成する発光層と背面電極とからなるエレクトロルミネセンスランプとして構成された発光表示部とを並列配置して設けた構成であり、導電性の有る釘がゲージ盤のセルシートを貫通して遊技板に打ち込まれており、表面パネルの釘まわりが上記セルシートを貫通する釘の外周面に沿って遊技板の側に伸びて釘と表面電極と背面電極との間に表面電極と背面電極との間のショートを回避する電気絶縁皮膜を形成したことを特徴としている。この発明に係る電飾装置によれば、金属のような導電性の有る釘がセルシートの前面よりエレクトロルミネセンスランプの表面電極と発光層及び背面電極を経由して遊技板に打ち込まれても、エレクトロルミネセンスランプの表面電極と背面電極との間のショートを回避することができる。また、上記釘の打ち込み時の衝撃力で表面パネルの伸びた部分の周囲における発光層及び背面電極が遊技板との間で圧縮を受けることにより当該表面パネルの伸びた部分と一体となり、釘が遊技球からの衝撃を繰り返し受けても、釘まわりの遊技球の道筋の表面性状が所定の平面度を保持して、遊技球の反発具合や道筋をいつまでも自然な状態とし、遊技性が適切な状態となり、品質信頼性を向上することができる。また、釘を打ち込む前の状態において、釘の尖端を位置決めする程度の下穴をセルシートにその前面よりプレス加工で形成しておけば、当該下穴形成と同時に表面パネルに伸び案内が形成でき、表面パネルの伸びが一段と良好な状態となり、電気絶縁性をより一層安定確保できる。
【０００６】
【発明の実施の形態】
図２は一実施形態のパチンコ機の電飾装置を示し、４は店の島に取り付けられる外枠とこれに開閉可能に装着された前枠とからなるパチンコ機の図外の機枠の内部に着脱自在に組み付けられるゲージ盤で、このゲージ盤４はほぼ方形のベニヤ板により構成された図１に示す遊技板２の前面の全域にデザイン図の描かれた図１に示すセルシート１を一体に結合してあり、そのセルシート１上に図外の発射装置から発射された図外の遊技球を遊技領域に誘導するバンド５、センタ役物６、風車７、始動口８、一般入賞口９、大入賞口１０、アウト口１１及び多数の遊技釘１２，１２Ａを備えている。
【０００７】
セルシート１は、大まかには、光透過性、電気絶縁性、遊技釘１２の打ち込みで伸びる伸展性を有する透明なポリエチレンテレフタレートフィルム（ＰＥＴフィルムと俗称されている）製の表面パネル１ａの裏面に図２に点線で示すように点在配置されたエレクトロルミネセンスランプからなる複数の発光表示部１３ａ，１３ｂ，１３ｃ，１３ｄ，１３ｅ，１３ｆ，１３ｇと、発光表示部１３ａ〜１３ｇ以外の部分である通常の塗料印刷にて形成された非発光表示部１３ｈとからなるデザイン図を有している。
【０００８】
図３は上記ゲージ盤４に打ち込むことで取り付けられる導電性を有する各種形状の釘を示し、ａ図は通常の丸頭１２ａを有する打ち込み釘の先端部の外周に複数段刻まれた螺旋溝１２ｂを有する遊技釘１２で、この遊技釘１２はハンマ又は自動釘打ち機などでセルシート１の前面よりゲージ盤４に打ち込まれる。
【０００９】
ｂ図は通常の丸頭１２ａを有する打ち込み釘としてのもう１つの遊技釘１２Ａで、この遊技釘１２Ａは風車７などのボス部に予め回転可能に貫装された状態でハンマ又は自動釘打ち機などでセルシート１の前面よりゲージ盤４に打ち込まれる。
【００１０】
図１は図２に示す実施形態のＡ−Ａ線に相当する製造過程での各態様を表現した断面図を示し、ゲージ盤４は、セルシート１の裏面を遊技板２の前面に接着剤３で接着し、遊技釘１２，１２Ａをセルシート１の前面より発光表示部１３ｆを貫通して遊技板２に打ち付けてある。
【００１１】
後述する下穴加工以前及び釘打ち込み工程以前におけるセルシート１は、図１のａ図に示すように、遊技板２の前面とほぼ合同な形状の方形に形成されたＰＥＴフィルムによる透明な表面パネル１ａと、表面パネル１ａの裏面の全面に真空蒸着で形成された透明な表面電極１ｂと、表面電極１ｂの発光表示部１３ｆと対応する部分に印刷された発光層１ｃと、表面電極１ｂの非発光部１３ｈと対応する部分に印刷された非発光層１ｄと、発光層１ｃの裏面及び非発光層１ｄの裏面の全面を覆う状態で印刷された絶縁層１ｅと、発光層１ｃと対応する位置で絶縁層１ｅの裏面に重ね合わせた状態に印刷された背面電極１ｆと、背面電極１ｆの裏面及び絶縁層１ｅの裏面の全面を覆う状態で印刷された保護層１ｇと、保護層１ｇの裏面の全面に印刷された接着層１ｈと、セルシート１を遊技板２に接着剤３で接着する際の定着を良くするためのケント紙のような定着用紙１ｉとからなる積層体に形成されている。
【００１２】
また、上記セルシート１、接着剤３及び遊技板２のそれぞれの物性はそれぞれの固相において図３のａ図〜ｂ図に示す各種の釘１２，１２Ａの入りを許容する性質を有していることは勿論である。
【００１３】
ゲージ盤４の製造工程について説明すると、先ず、図１のａ図に示すように、タブロイド判または遊技板２とほぼ合同な方形の大きさを有する表面パネル１ａの裏面の全面に表面電極１ｂを成膜し、この成膜された表面電極１ｂの裏面に発光層１ｃ及び非発光層１ｄを多色刷り印刷により並列配置した状態に形成する。例えば、発光層形成部分に発光層１ｃを形成するための材料を有すると共に発光層形成部分以外の部分を材料抜きとした発光層用の印刷スクリーンで、発光層１ｃを表面電極１ｂの裏面に多色刷り印刷のセルフアライメント（位置合わせ）を取って印刷して形成する。また、非発光層形成部分に非発光層１ｄを形成するための塗料を有すると共に非発光層形成部分以外の部分を塗料抜きとした非発光層用の印刷スクリーンで、非発光層１ｄを表面電極１ｂの裏面に上記セルフアライメント時の位置決め部を基準としたセルフアライメントを取って印刷して形成する。これらの発光層１ｃ及び非発光層１ｄの印刷はそれぞれが一色ずつの場合を想定した２工程だけを説明したが、実際には、発光層１ｃ及び非発光層１ｄのそれぞれは、多色で複数のデザイン図を提供する状態で人の視覚に訴える絵柄を形成することから、２工程以上になるのが普通であると共に、発光層１ｃ及び非発光層１ｄのどちらを先に印刷してもよいけれども、印刷された層の厚さが薄く形成される方を先に印刷すれば、当該先に印刷した発光層１ｃ及び非発光層１ｄを形成するための材料や塗料が、その後に用いられる印刷スクリーンに転写するのを防止し、定着待ち時間を短くして、発光層１ｃ及び非発光層１ｄの印刷時間を短縮することができる。
【００１４】
次に、表面電極１ｂの裏面に並設された発光層１ｃ及び非発光層が定着した後に、発光層１ｃ及び非発光層１ｄの裏面の全面に絶縁層１ｅを印刷で成膜して定着した後に、背面電極形成部分に背面電極１ｆを形成するための材料を有すると共に背面電極形成部分以外の部分を材料抜きとした背面電極用の印刷スクリーンで、背面電極１ｆを上記絶縁層１ｅの平坦状の裏面に上記セルフアライメント時の位置決め部を基準としたセルフアライメントを取って印刷で成膜して定着させる。その後、背面電極１ｆを含む絶縁層１ｅの裏面の全面に保護層１ｇを背面電極１ｆを被覆する状態で印刷で成膜し、その保護層１ｇが定着した後に、保護層１ｇの平坦状の裏面の全面に、表面パネル１ａとほぼ同形に形成された定着用紙１ｉを接着層１ｈを介在させると共に重ね合わせ状態で加圧して一体に結合する。
【００１５】
そして、この表面パネル１ａ、表面電極１ｂ、発光層１ｃ、非発光層１ｄ、絶縁層１ｅ、背面電極１ｆ、保護層１ｇ、接着層１ｈ及び定着用紙１ｉからなる積層体がタブロイド判のような大きさの場合は遊技板２とほぼ同形の方形に型抜き成形することにより、セルシート１が完成する。
【００１６】
さらに、遊技板１の前面の全面に溶融した接着剤３を糊付けし、その接着剤３の上に上記セルシート１の定着用紙１ｉの裏面を重ね合わせ、この重ね合わされた３者にセルシート１の前面側と遊技板の裏面側との両方より互いに向き合う方向の圧力を加え、遊技板２とセルシート１とを接着剤３を介在させた状態で加圧密着した状態で一体に結合する。
【００１７】
次に、セルシート１の前面より各種釘用下穴、飾り物用下穴などの必要な穴明け加工を行う。この実施形態では遊技釘１２を例として図１に図示してあることから、図１のｂ図に示すように、発光層１ｃの真上における部分において、釘用下穴１４はセルシート１にその前面より遊技釘１２の尖端を位置決めする程度の大きさにプレス加工で形成しておく。具体的には、プレス加工で使用される図外のポンチの先端が、表面パネル１ａを押圧し、当該ポンチの侵入に伴って表面パネル１ａをはじめとするセルシート１を遊技板２に引きずり込むように侵入する。そして、表面パネル１ａの伸びがその限界に達すると、ポンチの先端が表面パネル１ａ以下セルシート１を突き破った後に遊技板２の表面に食い込むことにより、セルシート１及び遊技板２の表層に図１のｂ図に示すような釘用下穴１４が形成される。この釘用下穴１４は、図１のｂ図に仮想線で示す遊技釘１２の尖端を入れ込む摺鉢状の窪みになっており、プレス加工時の加圧力で、当該釘用下穴１４の形成と同時に、伸び案内を表面パネル１ａに形成している。
【００１８】
その後、遊技釘１２を釘用下穴１４を位置決め部としてセルシート１の前面より遊技板２にハンマ又は自動釘打ち機にて打ち込むと、遊技釘１２の侵入に伴う遊技釘１２と表面パネル１ａとの間に働く摩擦力により、表面パネル１ａが伸ばされて図１のｃ図に示すような状態となって遊技釘１２の外周面に沿って背面電極１ｆとの間に電気絶縁皮膜を作り、エレクトロルミネセンスランプの表面電極１ｂと背面電極１ｆとの間のショートを回避することができる。この遊技釘１２の尖端が遊技板２に打ち込まれた後に続くハンマリングにより、遊技釘１２の先端部が遊技板２に進入する過程では、先端部の外周に複数段刻まれた螺旋溝１２ｂに遊技板２の破断面の一部が食い込むことで、遊技釘１２が螺旋溝１２ｂの螺旋方向に回転しながら打ち込まれる。
【００１９】
この遊技釘１２の打ち込みが完了した状態において、表面パネル１ａ、表面電極１ｂ、発光層１ｃ、絶縁層１ｅ、背面電極１ｆ、保護層１ｇ、接着層１ｈ及び定着用紙１ｉの性状がどのような状態であるかを確認するために、遊技釘１２の打ち込まれた部分でゲージ盤４を切断して観察したところ（ゲージ盤４のカットモデルを観察したところ）、図１のｃ図とほぼ同様な状態が肉眼で目視でき、とりわけ、表面パネル１ａが遊技釘１２の外周面に沿って遊技板２の方向に伸びて背面電極１ｆとの間に電気絶縁皮膜を作っており、その表面パネル１ａの伸びた先端が遊技板２の表層部分に食い込んでいると共に、表面電極１ｂが発光層１ｃのほぼ厚さの範囲で絶縁層１ｅ側に湾曲した状態に塑性変形していることが肉眼で確認できた。この表面電極１ｂが表面パネル１ａと一緒にほぼ同様に伸展せずに発光層１ｃのほぼ厚さの範囲で絶縁層１ｅ側に湾曲した状態に塑性変形した理由は、表面パネル１ａの裏面に真空蒸着で形成された表面電極１ｂの伸び率が表面パネル１ａの伸び率よりも小さいことから、表面パネル１ａが伸びる途中で、表面電極１ｂが粉々に破断されて発光層１ｃや絶縁層１ｅにばらばらに埋没したことによるものと理解できるであろう。この表面電極１ｂの粉々に破断された部分は肉眼で見えない状態であったが、図１のｃ図において、表面電極１ｂと背面電極１ｆとの間に図外のドライバー回路からエレクトロルミネセンスランプの発光に必要な電力を供給したところ、発光層１ｃが遊技釘１２の周囲から未発光部分を生じることなく蛍光発光した状態を視認できたので、上記表面電極１ｂの粉々に破断された部分が、連続状態にある表面電極１ｂと背面電極１ｆとの間でショートしていない状態であることも確認できた。また、遊技釘１２の周囲におけるセルシート１の表面性状が所定の平面度を保持した状態を視認できたが、これは遊技釘１２の衝撃力で表面パネル１ａの伸びた部分の周囲における発光層１ｃ、絶縁層１ｅ、背面電極１ｆ、保護層１ｇ、接着層１ｈ及び定着用紙１ｉが遊技板２との間で圧縮を受けたことで、当該表面パネル１ａの伸びた部分と一体となったことによるものと理解できるであろう。
【００２０】
上記遊技釘１２の打ち込み後において、バンド５、センタ役物６、風車７、始動口８、一般入賞口９、大入賞口１０、アウト口１１などのような各種の役物や飾り物をセルシート１の前面に取り付けることにより、ゲージ盤４が完成する。
【００２１】
したがって、この実施形態によれば、完成したゲージ盤４において、表面パネル１ａを光透過性、電気絶縁性及び釘の打ち込みで伸びる伸展性を有する材料で形成したことにより、セルシート１の前面よりエレクトロルミネセンスランプの構成部分、つまり発光表示部１３ａ〜１３ｇに遊技釘１２を通常の状態で打ち込むだけで、その遊技釘１２が打ち込まれる際の摩擦力で、表面パネル１ａの遊技釘１２まわりが当該遊技釘１２の打ち込まれるのに伴い伸びて遊技釘１２の外周面に沿って背面電極１ｆとの間に電気絶縁皮膜を作り、エレクトロルミネセンスランプの表面電極１ａと背面電極１ｆとの間のショートを回避することができる。また、上記遊技釘１２を打ち込む時の衝撃力で、表面パネル１ａの伸びた部分の周囲における発光層１ｃ及び背面電極１ｆが遊技板２との間で圧縮を受けることにより当該表面パネル１ａの伸びた部分と一体となり、遊技釘１２が図外の遊技球からの衝撃を繰り返し受けても、遊技釘１２まわりの遊技球の道筋の表面性状が所定の平面度を保持して、遊技球の反発具合や道筋をいつまでも自然な状態とし、好適な遊技性を確保することができる。
【００２２】
また、図１のｃ図においては図３のａ図に示した遊技釘１２を用いた場合を図示して説明したが、図３のｂ図示した遊技釘１２Ａをゲージ盤４に実際に打ち込んで、その部分のカットモデルを作り、そのカットモデルを肉眼で確認したところ、表面パネル１ａの伸び状態、発光層１ｃ、絶縁層１ｅ、背面電極１ｆ、保護層１ｇ、接着層１ｈ及び定着用紙１ｉの塑性変形状態は図１のｃ図と同様であったことが視認できたので、遊技釘１２を遊技釘１２Ａに読み替えれば、遊技釘１２Ａの打ち込みによる表面パネル１ａの伸びによって、遊技釘１２Ａの外周面に沿って背面電極１ｆとの間に電気絶縁皮膜が形成され、その電気絶縁皮膜が表面電極１ｂと背面電極１ｆとの間のショートを回避できることは容易に理解できるであろう。
【００２３】
よって、発光表示部１３ａ〜１３ｇ（図２参照）における表面電極１ｂと背面電極１ｆとの間に図外のドライバー回路からエレクトロルミネセンスランプの発光に必要な電力を供給した場合、導電性を有する遊技釘１２，１２Ａを介する表面電極１ｂ、発光層１ｃ及び背面電極１ｆの相互間でのショートを適切に回避することができる。また、遊技釘１２，１２Ａを打ち込む時の衝撃力で、表面パネル１ａの伸びた部分の周囲における発光層１ｃ及び背面電極１ｆが遊技板２との間で圧縮を受けることにより当該表面パネル１ａの伸びた部分と一体になっているから、遊技釘１２，１２Ａが図外の遊技球からの衝撃を繰り返し受けても、１２，１２Ａまわりにおける表面パネル１ａの表面性状が所定の平面度を適切に保持し、遊技球の反発具合や道筋がいつまでも自然な状態となり、品質信頼性を向上することができる。
【００２４】
前記保護層１ｇとして絶縁層１ｅと同じ物性を有する材料を使用すれば、保護層１ｇを絶縁層１ｅと重ね合わせ面間で強固に結合することができ、また、保護層１ｇとして接着層１ｈと同じ物性を有する材料を使用すれば、保護層１ｇを接着層１ｈと一体にできる。換言するならば、保護層１ｇを絶縁層１ｅ又は接着層１ｈの一方又は両方と代替して、製造作業を容易にすることができる。
【００２５】
前記実施形態では遊技球を発光表示部１３ａ〜１３ｇをバンド５により、その内部に区画されたゲージ盤４の遊技領域に配置した場合を図示して説明したが、図示は省略するけれども、発光表示部をバンド５より外側に位置するゲージ盤４の非遊技領域又は機枠１における前枠の前面に配置しても実施できる。
【００２６】
前記実施形態では遊技機として遊技球を使用するパチンコ機を図示して説明したが、同実施形態での始動口８や一般入賞口９への入賞検出による遊技状況をメダル投入による遊技状況と読み替えれることによりスロットマシンにも適用可能である。
【００２７】
なお、図１のｂ図に示すセルシート１に釘用下穴１４を形成した状態において、センタ役物６を取り付ける木ねじのような金属製のねじ釘についても実験を行ったが、これらの釘では表面パネル１ａに図１のｃ図に示すような伸びを認めることができず、表面電極１ｂと背面電極１ｆとの間にエレクトロルミネセンスランプの発光に必要な電力を供給したところ、表面電極１ｂと背面電極１ｆとが上記ねじ釘を介してショートし、発光層１ｃが蛍光発光しない状態を確認した。
【図面の簡単な説明】
【図１】  実施形態を示す図１のＡ−Ａ線に相当する断面図で、ａ図はセルシートを遊技板に一体に結合した状態、ｂ図はセルシートに釘用下穴を加工した状態、ｃ図は遊技釘を打ち込んだ状態を示している。
【図２】  同実施形態のゲージ盤を示す正面図。
【図３】  同実施形態に使用された各種の釘を示す側面図。
【符号の説明】
１  セルシート
１ａ  表面パネル
１ｂ  表面電極
１ｃ  発光層
１ｅ  絶縁層
１ｆ  背面電極
４  ゲージ盤
１２，１２Ａ  遊技釘（打ち込まれる釘）
１３ａ〜１３ｇ  発光表示部
１３ｈ  非発光表示部
１４  釘用下穴
【図１】
0003913280.tif 000002
【図２】
0003913280.tif 000003
【図３】
0003913280.tif 000004